(57)【要約】      （修正有）【課題】フランジバック長が短いマウント規格やマウント内径が大きいマウント規格にも対応することができるレンズアダプタを提供する。【解決手段】レンズアダプタ４００は、第１マウント規格に準拠した交換レンズが着脱可能に装着される第１マウント部材４３０と、第１マウント部材４３０の背面側に固定され、第１マウント規格とは異なる第２マウント規格に準拠した交換レンズが着脱可能に装着される、第２マウント部材４５０とを備え、第１マウント面４３１がカメラ本体の正面側に露出し、第２マウント部材４５０がカメラ本体の内部に収納されようにカメラ本体に取り付けられる第１固定位置と、第２マウント面がカメラ本体の正面側に露出し、第１マウント部材４３０がカメラ本体の内部に収納されようにカメラ本体に取り付けられる第２固定位置と、が選択されてカメラ本体に対して着脱可能に取り付けられる。【選択図】図３
2018072465.tif 000002
【特許請求の範囲】
【請求項１】
撮像装置の装置本体に対して着脱可能に取り付けられるレンズアダプタであって、
第１マウント規格に準拠した交換レンズが着脱可能に装着される第１マウント面を有する第１マウント部材と、
前記第１マウント部材の背面側に固定され、前記第１マウント規格とは異なる第２マウント規格に準拠した交換レンズが着脱可能に装着される、前記第１マウント面と光軸方向の反対の方向を向く第２マウント面を有する第２マウント部材と、を備え、
前記第１マウント部材の前記第１マウント面が前記装置本体の正面側に露出し、前記第２マウント部材が前記装置本体の内部に収納されように前記装置本体に取り付けられる第１固定位置と、前記第２マウント部材の前記第２マウント面が前記装置本体の正面側に露出し、前記第１マウント部材が前記装置本体の内部に収納されように前記装置本体に取り付けられる第２固定位置と、が選択されて前記装置本体に対して着脱可能に取り付けられることを特徴とするレンズアダプタ。
【請求項２】
前記第１マウント部材と前記第２マウント部材との間には、前記第１固定位置および前記第２固定位置において、前記装置本体に対して前記レンズアダプタが着脱可能に取り付けられる固定部材が設けられていることを特徴とする請求項１に記載のレンズアダプタ。
【請求項３】
前記第１マウント部材と前記第２マウント部材との間には、電気通信ユニットが設けられ、
前記電気通信ユニットは、前記第１マウント規格に準拠した交換レンズと電気的に接続される第１電気接続部と、前記第２マウント規格に準拠した交換レンズと電気的に接続される第２電気接続部と、を有することを特徴とする請求項１又は２に記載のレンズアダプタ。
【請求項４】
前記電気通信ユニットは、前記第１固定位置および前記第２固定位置において、前記装置本体に設けられた本体側電気接続部と電気的に接続される第３電気接続部を有し、前記第３電気接続部は、前記第１電気接続部および前記第２電気接続部と電気的に接続されていることを特徴とする請求項３に記載のレンズアダプタ。
【請求項５】
前記第１電気接続部および前記第２電気接続部は、光軸方向に重なるように並んで配置されていることを特徴とする請求項３又は４に記載のレンズアダプタ。
【請求項６】
前記第１マウント部材の内径は、前記第２マウント部材の内径より大径であることを特徴とする請求項１乃至５のいずれか一項に記載のレンズアダプタ。
【請求項７】
前記装置本体に対して、バヨネット結合又は螺合により着脱可能に取り付けられることを特徴とする請求項１乃至６のいずれか一項に記載のレンズアダプタ。
【発明の詳細な説明】
【技術分野】
【０００１】
本発明は、例えばデジタルカメラ等のカメラ本体に対して異なるマウント規格に準じた複数種の交換レンズを装着可能にするレンズアダプタに関する。
【背景技術】
【０００２】
デジタルカメラ等の撮像装置では、装置本体に対して単焦点レンズやズームレンズ、広角レンズ、望遠レンズ、マクロレンズ等の複数種の交換レンズが着脱可能に装着されるが、レンズアダプタ方式としては、バヨネット式のレンズアダプタが広く用いられている。
【０００３】
バヨネット式のレンズアダプタでは、一般的に、装置本体のマウント面と交換レンズのマウント面にそれぞれ爪形状部を形成し、互いのマウント面を当接させた状態で交換レンズと装置本体とを相対的に回転させることで、互いの爪形状部を嵌合させる。
【０００４】
ところで、撮像素子からマウント面までの距離であるフランジバック長がマウント規格から外れていると、撮影画像の画質が低下するおそれがある。
【０００５】
従来、それぞれ異なるマウント規格に準拠した二つのレンズアダプタを有するマウントアダプタが提案されている（特許文献１）。この提案では、一方のレンズアダプタは、装置本体に装着され、他方のレンズアダプタには、装置本体のレンズアダプタとは異なるマウント規格の交換レンズが着脱可能に装着される。
【先行技術文献】
【特許文献】
【０００６】
【特許文献１】特開２０１０−１６０１７６号公報
【発明の概要】
【発明が解決しようとする課題】
【０００７】
しかし、上記特許文献１では、フランジバック長が短い場合やマウント内径が大きい場合等の異なるマウント規格に対応することができない。
【０００８】
そこで、本発明は、フランジバック長が短いマウント規格やマウント内径が大きいマウント規格にも対応することができるレンズアダプタを提供することを目的とする。
【課題を解決するための手段】
【０００９】
上記目的を達成するために、本発明は、撮像装置の装置本体に対して着脱可能に取り付けられるレンズアダプタであって、第１マウント規格に準拠した交換レンズが着脱可能に装着される第１マウント面を有する第１マウント部材と、前記第１マウント部材の背面側に固定され、前記第１マウント規格とは異なる第２マウント規格に準拠した交換レンズが着脱可能に装着される、前記第１マウント面と光軸方向の反対の方向を向く第２マウント面を有する第２マウント部材と、を備え、前記第１マウント部材の前記第１マウント面が前記装置本体の正面側に露出し、前記第２マウント部材が前記装置本体の内部に収納されように前記装置本体に取り付けられる第１固定位置と、前記第２マウント部材の前記第２マウント面が前記装置本体の正面側に露出し、前記第１マウント部材が前記装置本体の内部に収納されように前記装置本体に取り付けられる第２固定位置と、が選択されて前記装置本体に対して着脱可能に取り付けられることを特徴とする。
【発明の効果】
【００１０】
本発明によれば、フランジバック長が短いマウント規格やマウント内径が大きいマウント規格にも対応することができる。
【図面の簡単な説明】
【００１１】
【図１】本発明の実施形態の一例であるレンズアダプタを備えるデジタルカメラのカメラ本体を正面側から見た斜視図である。
【図２】図１に示すカメラ本体からレンズアダプタを取り外した状態を示す斜視図である。
【図３】レンズアダプタをカメラ本体の正面側から見た分解斜視図である。
【図４】レンズアダプタをカメラ本体の背面側から見た分解斜視図である。
【図５】レンズアダプタが第１マウント規格に準拠する状態でカメラ本体に取り付けられている状態をカメラ本体の正面側から見た図である。
【図６】図５のＡ−Ａ線断面図である。
【図７】レンズアダプタが第２マウント規格に準拠した状態でカメラ本体に取り付けられている状態をカメラ本体の正面側から見た図である。
【図８】図７のＢ−Ｂ線断面図である。
【発明を実施するための形態】
【００１２】
以下、図面を参照して、本発明の実施形態の一例を説明する。
【００１３】
図１は、本発明の実施形態の一例であるレンズアダプタを備えるデジタルカメラのカメラ本体を正面側（被写体側）から見た斜視図である。図２は、図１に示すカメラ本体からレンズアダプタを取り外した状態を示す斜視図である。なお、本実施形態では、撮像装置として、デジタルカメラを例示するが、これに限定されない。
【００１４】
図１及び図２に示すように、デジタルカメラのカメラ本体１００の正面側の固定部２００には、第１マウント規格と第２マウント規格とに準拠した構造を有するレンズアダプタ４００が着脱可能に取り付けられる。固定部２００の略中央には、カメラ本体１００の内部に設けられた撮像素子２１４の撮像面を露出させる開口部が形成されている。カメラ本体１００は、本発明の装置本体の一例に相当する。
【００１５】
固定部２００の開口部の外側には、レンズアダプタ４００を締結するためのビス穴からなる締結部２１１ａ〜２１１ｄが周方向に所定の間隔で形成されている。また、固定部２００の締結部２１１ｃと締結部２２１ｄとの間の開口部の外側位置には、本体側電気接続部２１３が取り付けられ、締結部２１１ａと締結部２２１ｂとの間の開口部の内周部には、径方向外側に向けて切り欠かれた切欠き凹部２１２が形成されている。
【００１６】
図３は、レンズアダプタ４００をカメラ本体１００の正面側（被写体側）から見た分解斜視図である。図４は、レンズアダプタ４００をカメラ本体１００の背面側から見た分解斜視図である。
【００１７】
図３及び図４に示すように、レンズアダプタ４００は、固定部材４１０、電気通信ユニット４２０、第１マウント部材４３０、第１レンズ着脱部材４４０、第２マウント部材４５０、第２レンズ着脱部材４６０、及び付勢部材４７０を有する。固定部材４１０、第１マウント部材４３０及び第２マウント部材４５０は、それぞれ円環状（リング状）に形成されて略同軸配置され、第１マウント部材４３０は、外径及び内径ともに第２マウント部材４５０より大径に形成されている。なお、説明の便宜上、図３及び図４では、第１マウント部材４３０側を正面側及び第２マウント部材４５０側を背面側として説明する。
【００１８】
第１マウント部材４３０は、正面側に配置され、第２マウント部材４５０は、背面側に配置されており、第１マウント部材４３０と第２マウント部材４５０との間には、固定部材４１０が配置されている。また、固定部材４１０と第２マウント部材４５０との間には、第２レンズ着脱部材４６０及び付勢部材４７０が配置され、第１マウント部材４３０と固定部材４１０との間には、電気通信ユニット４２０が配置されている。電気通信ユニット４２０と第１マウント部材４３０との間には、第１レンズ着脱部材４４０が配置されている。
【００１９】
固定部材４１０には、貫通穴部４１１ａ〜４１１ｄが形成されており、貫通穴部４１１ａ〜４１１ｄの形成部の背面側の面は、それぞれ第１締結面４１２ａ〜４１２ｄ（図４）とされ、正面側の面は、それぞれ第２締結面４１３ａ〜４１３ｄ（図３）とされている。
【００２０】
また、固定部材４１０の正面側には、図３に示すように、締結部４１５ａ〜４１５ｄ及び締結部４１７ａ〜４１７ｃが形成され、固定部材４１０の背面側には、図４に示すように、締結部４１６ａ〜４１６ｄが形成されている。貫通穴部４１１ａ〜４１１ｄに挿入した不図示のビスをそれぞれカメラ本体１００の締結部２１１ａ〜２１１ｄに締結することにより、固定部材４１０がカメラ本体１００に固定される。
【００２１】
電気通信ユニット４２０は、第１電気接続部４２１、第２電気接続部４２２、及び第３電気接続部４２３を有する。第１電気接続部４２１及び第２電気接続部４２２は、光軸方向に重なるように並んで設けられ、第１電気接続部４２１は、光軸方向の正面側に配置され、第２電気接続部４２２は、光軸方向の背面側に配置されている。
【００２２】
また、第１電気接続部４２１及び第２電気接続部４２２は、第３電気接続部４２３に対して周方向に略９０°離間した位置に配置されている。電気通信ユニット４２０の正面側には、貫通穴部４２５ａ，４２５ｂ（図３）が形成され、電気通信ユニット４２０の背面側には、貫通穴部４２５ｃ（図４）が形成されている。
【００２３】
第１電気接続部４２１は、第１マウント規格に準拠した不図示の交換レンズをレンズアダプタ４００に装着したときに、第１マウント規格に準拠した交換レンズの電気接続部（不図示）に電気的に接続される。第２電気接続部４２２は、第２マウント規格に準拠した不図示の交換レンズをレンズアダプタ４００に装着したときに、第２マウント規格に準拠した交換レンズの電気接続部（不図示）に電気的に接続される。第２マウント規格は、第１マウント規格とは異なるマウント規格である。
【００２４】
第３電気接続部４２３は、固定部材４１０がカメラ本体１００に締結されたとき、本体側電気接続部２１３に電気的に接続される。第３電気接続部４２３は、電気通信ユニット４２０の内部で、第１電気接続部４２１及び第２電気接続部４２２にそれぞれ電気的に接続される。
【００２５】
貫通穴部４２５ａ〜４２５ｃに挿入した不図示のビスを固定部材４１０の締結部４１７ａ〜４１７ｃに締結することにより、電気通信ユニット４２０が固定部材４１０に固定される。
【００２６】
第１マウント部材４３０は、正面側の面が第１マウント面４３１とされ、内周部には、第１爪部４３２ａ〜４３２ｃが設けられている。また、第１マウント部材４３０には、第１摺動穴部４３５及び貫通穴部４３６ａ〜４３６ｄが形成されている。
【００２７】
第１マウント面４３１には、第１マウント規格に準拠した交換レンズの不図示のレンズマウントが当接する。第１爪部４３２ａ〜４３２ｃは、第１マウント規格に準拠した交換レンズの不図示の爪部と係合し、これにより、第１マウント部材４３０に第１マウント規格に準拠した交換レンズが装着される。
【００２８】
貫通穴部４３６ａ〜４３６ｄに挿入した不図示のビスを固定部材４１０の締結部４１５ａ〜４１５ｃに締結することにより、第１マウント部材４３０が固定部材４１０に固定される。
【００２９】
第１レンズ着脱部材４４０は、正面側に、回転規制凸部４４１及び押下部４４２が設けられ、背面側に、軸部４４３が回転規制凸部４４１と略同軸に設けられている。回転規制凸部４４１は、第１マウント規格に準拠した交換レンズの不図示の凹部と係合し、これにより、第１マウント規格に準拠した交換レンズの回転を規制する。押下部４４２は、押下されることで回転規制凸部４４１と第１マウント規格に準拠した交換レンズの不図示の凹部との係合を解除し、これにより、交換レンズの取り外しを可能にする。
【００３０】
第２マウント部材４５０は、背面側の面が第２マウント面４５１とされ、内周部には、第２爪部４５２ａ〜４５２ｃが設けられている。第２マウント面４５１は、第１マウント部材４３０の第１マウント面４３１に対して光軸方向の反対側を向く面とされている。また、第２マウント部材４５０には、第２摺動穴部４５５及び貫通穴部４５６ａ〜４５６ｄが形成されている。
【００３１】
第２マウント面４５１には、第２マウント規格に準拠した交換レンズの不図示のレンズマウントが当接する。第２爪部４５２ａ〜４５２ｃは、第２マウント規格に準拠した交換レンズの不図示の爪部と係合し、これにより、第２マウント部材４５０に第２のマウント規格に準拠した交換レンズが固定される。
【００３２】
貫通穴部４５６ａ〜４５６ｄに挿入した不図示のビスを固定部材４１０の締結部４１６ａ〜４１６ｃに締結することにより、第２マウント部材４５０が固定部材４１０に固定される。
【００３３】
第２レンズ着脱部材４６０は、背面側に、回転規制凸部４６１及び押下部４６２が設けられ、正面側に、軸部４６３が設けられている。回転規制凸部４６１は、第２マウント規格に準拠した交換レンズの不図示の凹部と係合し、これにより、第２マウント規格に準拠した交換レンズの回転を規制する。押下部４６２は、押下されることで回転規制凸部４６１と第２マウント規格に準拠した交換レンズの不図示の凹部との係合を解除し、これにより、交換レンズの取り外しを可能にする。
【００３４】
付勢部材４７０は、圧縮ばねで構成されている。付勢部材４７０は、第１レンズ着脱部材４４０の軸部４４３と第２レンズ着脱部材４６０の軸部４６３とに係合し、第１レンズ着脱部材４４０を第１マウント部材４３０側に付勢し、第２レンズ着脱部材４６０を第２マウント部材４５０側に付勢する。なお、第２レンズ着脱部材４６０及び第１レンズ着脱部材４４０は、第３電気接続部４２３に対して径方向に対向する位置に配置されている。
【００３５】
図５は、レンズアダプタ４００が第１マウント規格に準拠する状態でカメラ本体１００に取り付けられている状態をカメラ本体１００の正面側から見た図である。図６は、図５のＡ−Ａ線断面図である。図５及び図６は、カメラ本体１００に対してレンズアダプタ４００が本発明の第１固定位置に取り付けられた状態を示している。
【００３６】
本実施形態での第１マウント規格では、フランジバック長がＬ１であり、レンズアダプタ４００は、カメラ本体１００の正面側から見て周方向下側に第１電気接続部４２１が配置される。ここで、フランジバック長とは、交換レンズのレンズマウントが当接するカメラ本体１００のレンズアダプタ４００のマウント面からカメラ本体１００内の撮像素子２１４の撮像面２１４ａまでの光軸方向の距離のことである。このフランジバック長は、マウント規格によって異なる。
【００３７】
第１マウント規格に準拠する状態でカメラ本体１００に取り付けられたレンズアダプタ４００は、電気通信ユニット４２０の第１電気接続部４２１、及び第１マウント部材４３０が正面側に露出し、第１レンズ着脱部材４４０が切欠き凹部２１２に露出している。第１レンズ着脱部材４４０は、カメラ本体１００の正面側から見て第１電気接続部４２１に対して反時計回りに９０°の位置に配置される。第３電気接続部４２３は、第１レンズ着脱部材４４０に対して径方向に対向する位置に配置される。
【００３８】
第１マウント規格に準拠した交換レンズがカメラ本体１００に装着されたとき、カメラ本体１００の正面側から見て第１電気接続部４２１に対して時計回りに９０°の位置に配置される本体側電気接続部２１３から電気信号が出力される。この出力は、本体側電気接続部２１３と同位相に配置される電気通信ユニット４２０の第３電気接続部４２３、及び第１電気接続部４２１を介して第１マウント規格に準拠した交換レンズに伝えられる。同様に、交換レンズから出力される電気信号は、電気通信ユニット４２０の第１電気接続部４２１、第３電気接続部４２３、及び本体側電気接続部２１３を介してカメラ本体１００に伝えられる。
【００３９】
図６に示すように、第１マウント規格に準拠するフランジバック長Ｌ１とは、第１マウント部材４３０の第１マウント面４３１から撮像面２１４ａまでの光軸方向の距離である。フランジバック長Ｌ１は、カメラ本体１００の締結部２１１ａ〜２１１ｄから撮像面２１４までのフランジバック長Ｌ０と、レンズアダプタ４００の第１締結面４１２ａ〜４１２ｄから第１マウント面４３１までのフランジバック長Ｌ１′との和からなる。
【００４０】
次に、図７及び図８を参照して、カメラ本体１００に対するレンズアダプタ４００を第１マウント規格に準拠した状態から第２マウント規格に準拠した状態に切り替える手順を説明する。図７は、レンズアダプタ４００が第２マウント規格に準拠した状態でカメラ本体１００に取り付けられている状態をカメラ本体１００の正面側から見た図である。図８は、図７のＢ−Ｂ線断面図である。図７及び図８は、カメラ本体１００に対してレンズアダプタ４００が本発明の第２固定位置に取り付けられた状態を示している。なお、第１固定位置と第２固定位置とは、マウント規格に応じてユーザが選択する。
【００４１】
まず、固定部材４１０の貫通穴部４１１ａ〜４１１ｄに挿入されてカメラ本体１００の締結部２１１ａ〜２１１ｄに締結されているビスを取り外してカメラ本体１００からレンズアダプタ４００を取り外す。続いて、取り外されたレンズアダプタ４００を上下方向に表裏反転させ、電気通信ユニット４２０の第１電気接続部４２１を周方向上側に配置した状態で固定部材４１０の第２締結面４１３ａ〜４１３ｄを固定部２００の締結部２１１ａ〜２１１ｄに当接させる。この状態で固定部材４１０の貫通穴部４１１ａ〜４１１ｄにビスを挿入して締結部２１１ａ〜２１１ｄに締結して固定する。
【００４２】
このとき、電気通信ユニット４２０の第１電気接続部４２１は、周方向上側に位置してカメラ本体１００の内部に収納され、第２電気接続部４２２がカメラ本体１００の正面側に露出するとともに、切欠き凹部２１２に第２レンズ着脱部材４６０が露出する。これにより、レンズアダプタ４００が第１マウント規格から第２マウント規格に準拠する状態に切り替えられる。
【００４３】
本実施形態では、固定部材４１０の第１締結面４１２ａ〜４１２ｄから第３電気接続部４２３までの光軸方向の距離と第２締結面４１３ａ〜４１３ｄから第３電気接続部４２３までの光軸方向の距離とは同一となる。これにより、第１マウント規格及び第２マウント規格のいずれのマウント規格に準拠する場合でも、レンズアダプタ４００の第３電気接続部４２３は、光軸方向及び周方向の位置がカメラ本体１００に対して同一の位置に配置される。このため、カメラ本体１００の本体側電気接続部２１３を一つにすることが可能となり、フランジバック長に関連する部品の数を少なくすることができる。
【００４４】
本実施形態での第２マウント規格では、フランジバック長がＬ２であり、フランジバック長Ｌ２とは、図８に示すように、第２マウント部材４５０の第２マウント面４５１から撮像面２１４ａまでの光軸方向の距離である。
【００４５】
フランジバック長Ｌ２は、カメラ本体１００の締結部２１１ａ〜２１１ｄから撮像面２１４ａまでのフランジバック長Ｌ０とレンズアダプタ４００の第２締結面４１３ａ〜４１３ｄから第２マウント面４５１までのフランジバック長Ｌ２′との和からなる。本実施形態では、フランジバック長Ｌ２′＞フランジバック長Ｌ１′の関係である。つまり、異なるフランジバック長を有する二つのマウント規格に対して、一つのレンズアダプタ４００で対応することが可能となる。
【００４６】
本実施形態では、フランジバック長Ｌ１′とフランジバック長Ｌ２′とが非常に近い数値であっても対応可能である。また、交換レンズのレンズマウントが当接するマウント面から撮像面２１４ａまでに介在する部品が少ないため、部品の寸法バラつきの影響を受けにくく、フランジバック長を安定させることが可能となる。
【００４７】
第２マウント規格に準拠した交換レンズがカメラ本体１００に取り付けられた状態では、本体側電気接続部２１３から電気信号が出力される。この出力は、電気通信ユニット４２０の第３電気接続部４２３及び第２電気接続部４２２を介して第２マウント規格に準拠した交換レンズに伝えられる。同様に、交換レンズからの電気信号は、電気通信ユニット４２０の第２電気接続部４２２及び第３電気接続部４２３と、カメラ本体１００の本体側電気接続部２１３とを介してカメラ本体１００に伝えられる。
【００４８】
第２マウント規格では、第２マウント規格に準拠する交換レンズの取り外しを行う際に押下する第２レンズ着脱部材４６０は、カメラ本体１００の切欠き凹部２１２に露出する。また、第１マウント規格では、第１マウント規格に準拠する交換レンズの取り外しを行う際に押下する第１レンズ着脱部材４４０は、カメラ本体１００の切欠き凹部２１２に露出する。このため、レンズアダプタ４００がいずれのマウント規格であっても、交換レンズの着脱作業が容易となる。
【００４９】
以上説明したように、本実施形態では、フランジバック長が短いマウント規格やマウント内径が大きいマウント規格にも対応することができるとともに、フランジバック長に関連する部品の数を少なくしてフランジバック長を安定させることができる。
【００５０】
なお、本発明の構成は、上記実施形態に例示したものに限定されるものではなく、材質、形状、寸法、形態、数、配置箇所等は、本発明の要旨を逸脱しない範囲において適宜変更可能である。
【００５１】
例えば、上記実施形態では、レンズアダプタ４００をビスによりカメラ本体１００に固定する場合を例示したが、カメラ本体１００に対してレンズアダプタを螺合により固定したり、バヨネット結合により固定してもよい。
【００５２】
また、上記実施形態では、第１マウント規格と第２マウント規格とは、いずれもバヨネット式のレンズアダプタとしたが、いずれか一方のマウント規格がネジ式のレンズアダプタ、あるいは双方のマウント規格がネジ式のレンズアダプタであっても良い。
【符号の説明】
【００５３】
１００  カメラ本体
４００  レンズアダプタ
４３０  第１マウント部材
４３１  第１マウント面
４５０  第２マウント部材
４５１  第２マウント面
【図１】
2018072465.tif 000003
【図２】
2018072465.tif 000004
【図３】
2018072465.tif 000005
【図４】
2018072465.tif 000006
【図５】
2018072465.tif 000007
【図６】
2018072465.tif 000008
【図７】
2018072465.tif 000009
【図８】
2018072465.tif 000010